(57)【要約】【課題】照明システムに使用される可搬型端末機器の消費電力を抑えられる技術を提供する。【解決手段】照明システム１は、調光調色可能な光源１２を有する照明部１１と、光源１２によって得られる光環境を測定する光センサ３２と、光センサ３２の検出信号を照明部１１に送信するリモコン側送受信部３５と、を有するリモコン部３１を備える。このリモコン部３１は、当該検出信号を反映した所定の指標値が所定の判定条件を満たすことによって指標値の変化が小さいと判定される安定期間では、リモコン部３１からの送信動作を制限する駆動制御部３３を備える。【選択図】図２
2013120721.tif 000002
【特許請求の範囲】
【請求項１】
発光状態を調整可能な光源を有する照明部と、
前記照明部とは別体で、前記照明部との間でワイヤレス信号を用いて通信可能な可搬型端末機器と、
を備え、
前記可搬型端末機器は、
前記光源によって得られる光環境を測定する光センサと、
前記光センサの検出信号に基づいて前記照明部の発光状態を制御するための通信を前記照明部との間で行う通信部と、
前記検出信号を反映した所定の指標値が所定の判定条件を満たすことによって、前記指標値の変化が小さいと判定される安定期間では、前記通信部による通信動作を制限する駆動制御部と、
を備える、照明システム。
【請求項２】
請求項１に記載の照明システムであって、
前記可搬型端末機器は、
前記検出信号の演算処理を行う測定演算部を、
さらに備え、
前記駆動制御部は、
前記安定期間においては、前記測定演算部による演算動作も制限することを特徴とする、照明システム。
【請求項３】
請求項１または２に記載の照明システムであって、
前記指標値は、前記検出信号の時間微分値に基づいて得られる、照明システム。
【請求項４】
請求項１または２に記載の照明システムであって、
前記指標値は、前記検出信号の時間積分値に基づいて得られる、照明システム。
【請求項５】
請求項３に記載の照明システムであって、
前記判定条件に基づいて、前記時間微分値に基づいて得られる前記指標値の変化が大きいと判定される変動期間が所定値より小さい場合には、前記制限が行われることを特徴とする照明システム。
【請求項６】
発光状態を調整可能な光源を有する照明部とは別体で、前記照明部との間でワイヤレス信号を用いて通信可能な可搬型端末機器であって、
前記光源によって得られる光環境を測定する光センサと、
前記光センサの検出信号に基づいて前記照明部の発光状態を制御するための通信を前記照明部との間で行う通信部と、
前記検出信号を反映した所定の指標値が所定の判定条件を満たすことによって、前記指標値の変化が小さいと判定される安定期間では、前記通信部による通信動作を制限する駆動制御部と、
を備える可搬型端末機器。
【請求項７】
発光状態を調整可能な光源を有する照明部と、
前記照明部とは別体で、前記照明部との間でワイヤレス信号を用いて通信可能な可搬型端末機器と、
を備え、
前記可搬型端末機器は、
前記光源によって得られる光環境の色温度を測定するフォトセンサと、
前記光環境の光色を検出するカラーセンサと、
前記カラーセンサの検出信号に基づいて前記照明部の発光色を制御するための通信を前記照明部との間で行う通信部と、
前記フォトセンサの前記検出信号を反映した所定の指標値が所定の判定条件を満たすことによって、前記指標値の変化が小さいと判定される安定期間では、前記通信部による通信動作を制限する駆動制御部と、
を備える、照明システム。
【請求項８】
請求項７に記載の照明システムであって、
前記可搬型端末機器は、
前記カラーセンサの前記検出信号の演算処理を行う測定演算部を、
さらに備え、
前記駆動制御部は、
前記安定期間においては、前記カラーセンサの検出結果に基づく前記測定演算部による演算動作も制限することを特徴とする、照明システム。
【発明の詳細な説明】
【技術分野】
【０００１】
本発明は、照明光源の点灯状態を制御可能な照明システム及び照明システムで使用される可搬型端末機器に関する。
【背景技術】
【０００２】
光センサが照明光源からの光を検出し、光センサの検出結果に基づいて、照明光源の点灯状態を制御する技術が知られている。
【０００３】
例えば、特許文献１には、照明の光量及び光色を検出する光センサ部分が設けられた可搬性を有するリモコン送信部が開示されている。このリモコン送信部は、光量及び光色の調整が所望される位置に設置された状態で光センサ部分での受光が行われ、その受光結果に基づいて当該位置における光量及び光色を所望の値とするように、リモコン送信部から光源に調整信号が送信される。
【先行技術文献】
【特許文献】
【０００４】
【特許文献１】特開平０５−０２１１６８号公報
【発明の概要】
【発明が解決しようとする課題】
【０００５】
しかしながら、特許文献１におけるリモコン送信部のような可搬型端末機器は、常時起動状態、即ち、検出信号の測定演算処理、又は通信処理を実施可能な状態、に置かれているため、消費電力が大きくなるという問題があった。従って、コストがかかるとともに、頻繁な電池交換作業又は充電作業が必要となるため、作業性に問題があった。
【０００６】
本発明は、上記課題に鑑みなされたものであり、照明システムに使用される可搬型端末機器の消費電力を抑えられる技術を提供することを目的とする。
【課題を解決するための手段】
【０００７】
第１の態様は、照明システムであって、発光状態を調整可能な光源を有する照明部と、前記照明部とは別体で、前記照明部との間でワイヤレス信号を用いて通信可能な可搬型端末機器と、を備え、前記可搬型端末機器は、前記光源によって得られる光環境を測定する光センサと、前記光センサの検出信号に基づいて前記照明部の発光状態を制御するための通信を前記照明部との間で行う通信部と、前記検出信号を反映した所定の指標値が所定の判定条件を満たすことによって、前記指標値の変化が小さいと判定される安定期間では、前記通信部による通信動作を制限する駆動制御部と、を備える。
【０００８】
第２の態様は、第１の態様に係る照明システムであって、前記可搬型端末機器は、前記検出信号の演算処理を行う測定演算部を、さらに備え、前記駆動制御部は、前記安定期間においては、前記測定演算部による演算動作も制限することを特徴とする。
【０００９】
第３の態様は、第１の態様又は第２の態様に係る照明システムであって、前記指標値は、前記検出信号の時間微分値に基づいて得られる。
【００１０】
第４の態様は、第１の態様又は第２の態様に係る照明システムであって、前記指標値は、前記検出信号の時間積分値に基づいて得られる。
【００１１】
第５の態様は、第３の態様に係る照明システムであって、前記判定条件に基づいて、前記時間微分値に基づいて得られる前記指標値の変化が大きいと判定される変動期間が所定値より小さい場合には、前記制限が行われることを特徴とする。
【００１２】
第６の態様は、発光状態を調整可能な光源を有する照明部とは別体で、前記照明部との間でワイヤレス信号を用いて通信可能な可搬型端末機器であって、前記光源によって得られる光環境を測定する光センサと、前記光センサの検出信号に基づいて前記照明部の発光状態を制御するための通信を前記照明部との間で行う通信部と、前記検出信号を反映した所定の指標値が所定の判定条件を満たすことによって、前記指標値の変化が小さいと判定される安定期間では、前記通信部による通信動作を制限する駆動制御部と、を備える。
【００１３】
第７の態様は、照明システムであって、発光状態を調整可能な光源を有する照明部と、前記照明部とは別体で、前記照明部との間でワイヤレス信号を用いて通信可能な可搬型端末機器と、を備え、前記可搬型端末機器は、前記光源によって得られる光環境の色温度を測定するフォトセンサと、前記光環境の光色を検出するカラーセンサと、前記カラーセンサの検出信号に基づいて前記照明部の発光色を制御するための通信を前記照明部との間で行う通信部と、前記フォトセンサの前記検出信号を反映した所定の指標値が所定の判定条件を満たすことによって、前記指標値の変化が小さいと判定される安定期間では、前記通信部による通信動作を制限する駆動制御部と、を備える。
【００１４】
第８の態様は、第７の態様に係る照明システムであって、前記可搬型端末機器は、前記カラーセンサの前記検出信号の演算処理を行う測定演算部を、さらに備え、前記駆動制御部は、前記安定期間においては、前記カラーセンサの検出結果に基づく前記測定演算部による演算動作も制限することを特徴とする。
【発明の効果】
【００１５】
この発明の第１から第６の態様によれば、可搬型端末機器の駆動制御部は、光センサの検出信号を反映した所定の指標値が所定の判定条件を満たすことによって、指標値の変化が小さいと判定される安定期間では、通信部での通信動作を制限する。このため、可搬型端末機器の消費電力は従来よりも抑えられる。
【００１６】
特に、第２の態様によれば、可搬型端末機器の駆動制御部は、安定期間においては、測定演算部の演算動作も制限する。このため、可搬型端末機器の消費電力をより抑えられる。
【００１７】
特に、第３の態様によれば、指標値は、光センサの検出信号の時間微分値に基づいて得られるため、比較的短時間での光環境変化に高精度に対応しつつ省電力化を達成できる。
【００１８】
特に、第４の態様によれば、指標値は、光センサの検出信号の時間積分値に基づいて得られるため、比較的ゆっくりと変化する光環境変化に高精度に対応しつつ省電力化を達成できる。
【００１９】
特に、第５の態様によれば、瞬間的な検出信号の変化については、制限が行われるため、さらに省電力化を達成できる。
【００２０】
この発明の第７から第８の態様によれば、可搬型端末機器の駆動制御部は、フォトセンサの検出信号を反映した所定の指標値が所定の判定条件を満たすことによって、指標値の変化が小さいと判定される安定期間では、通信部での通信動作を制限する。このため、通信部による通信動作の消費電力は低減され、省電力化を達成できる。
【００２１】
特に、第８の態様によれば、可搬型端末機器は、安定期間においては、測定演算部の演算動作も制限する。このため、可搬型端末機器の消費電力をより抑えられる。
【図面の簡単な説明】
【００２２】
【図１】第１の実施形態における照明システムの斜視図である。
【図２】第１の実施形態における照明システムの機能的構成を表すブロック図である。
【図３】経過時間に対する光センサの出力信号を表す図である。
【図４】駆動制御部の一例を示す図である。
【図５】駆動制御部での各処理時における出力波形を示す図である。
【図６】駆動制御部の他の一例を示す図である。
【図７】駆動制御部での各処理時における出力波形を示す図である。
【図８】処理の流れを示すフローチャートである。
【図９】第２の実施形態における照明システムの機能的構成を表すブロック図である。
【図１０】変形例における照明システムの機能的構成を表すブロック図である。
【発明を実施するための形態】
【００２３】
以下、添付の図面を参照しながら実施形態について説明する。以下の実施形態は、本発明を具体化した一例であり、本発明の技術的範囲を限定する事例ではない。
【００２４】
＜１．第１の実施形態＞
＜１−１．照明システムの構成＞
はじめに、本実施形態に係る照明システム１について説明する。図１には、照明システム１が示されている。また、図２には、照明システム１の各部分を表すブロック図が示されている。
【００２５】
照明システム１は、発光状態を調整可能な光源１２を有するとともに、光源１２の出力の調整を行う照明部１１と、光源１２によって得られる光環境を測定する光センサ３２を備えるリモコン部（リモートコントローラ）３１と、を主に備える。リモコン部３１は、照明部１１とは別体で、照明部１１との間でワイヤレス信号を送受信（通信）可能である。なお、リモコン部３１が本実施形態における可搬型端末機器に相当する。可搬型端末機器は、例えばスマートフォンなどの形態であっても構わない。
【００２６】
具体的に、図１（ａ）には、部屋などの所定の空間１５０に照明システム１が採用された場合が示されている。図１（ａ）に示されるように、照明部１１は部屋の天井に固定設置されており、リモコン部３１は移動自在である。また、図１（ｂ）には、照明システム１が、電気スタンドのようなタスクランプ２５０に採用された場合が示されている。図１（ｂ）に示されるように、照明部１１は、台部２２０から延び出た脚部２１０の先端に設置されており、リモコン部３１は移動自在である。
【００２７】
この照明部１１が備える光源１２の点灯状態は、光センサ３２の検出信号に基づいて制御される。つまり、光センサ３２によって検出される光環境の測定値と所定の目標値とが比較され、光源１２の出力がフィードバック制御されることにより、所望の光環境が光センサ３２の設置位置において得られる。
【００２８】
具体的に照明システム１を構成する各要素について説明する。
【００２９】
照明部１１は、光源１２、光源１２の出力調整が行われる出力調整部１３、及びリモコン部３１との間で信号の送受信が行われる照明側送受信部１４を主に備える。
【００３０】
光源１２は、例えば、白熱電球、蛍光灯又はＬＥＤ（Light Emitting Diode）など、種々の形態が採用可能であり、所定の色温度及び光色を有する。光源１００が白熱電球、又は蛍光灯の場合には、光源１００に印加される電圧、又は電流の大きさによって、光源１００の発光状態が可変である。また、光源１００が、例えばＬＥＤの集合の場合には、それら複数のＬＥＤの点灯する数が調節されることによって、その発光状態は可変である。このような光源１２が発光することによって、所定の光環境が得られる。光環境を規定する指標には、光の照度、又は相関色温度などが挙げられる。
【００３１】
出力調整部１３は、マイクロコンピュータ等で構成されている。この出力調整部１３が、リモコン部３１から送信されてきた光センサ３２の測定値と目標値との比較、及び比較結果に基づく調整信号の送信を光源１２に対して行う。
【００３２】
照明側送受信部１４は、リモコン部３１から送信されてきた信号を受信する部分である。照明側送受信部１４で受信された信号は出力調整部１３に送信される。また、照明側送受信部１４は、出力調整部１３での演算結果をリモコン部３１に送信する機能も有する。
【００３３】
続いて、リモコン部３１を構成する各要素について説明する。リモコン部３１は、光センサ３２、後述する測定演算部３４及びリモコン側送受信部３５の駆動状態を制御する駆動制御部３３、光センサ３２の検出信号の演算処理を行う測定演算部３４、演算処理が施された検出信号を照明部１１に送信するリモコン側送受信部３５、及び目標値に関する情報が記憶されている目標光環境記憶部３６を主に備える。
【００３４】
光センサ３２は、設置位置における光環境、即ち、照度及び相関色温度を検出するデバイスである。光センサ３２には、例えば光電子増倍管、フォトトランジスタ、フォトレジスタなどが採用可能である。
【００３５】
駆動制御部３３は、光センサ３２で検出された信号を受信し、当該信号に基づいて、リモコン側送受信部３５及び測定演算部３４の駆動状態を制御する部分である。これについては後に詳述する。
【００３６】
測定演算部３４は、マイクロコンピュータ等で構成されている。この測定演算部３４が光センサ３２で検出された信号に対して、Ａ／Ｄ変換処理などの所定の演算処理を施し、リモコン側送受信部３５に送信する部分である。測定演算部３４の駆動状態は、起動状態と待機状態とのいずれか一方に、駆動制御部３３によって切り換えられる。上述の演算処理は、起動状態の測定演算部３４によって実施される。一方、待機状態の測定演算部３４は、所定の処理を行うことなく、スリープモードに置かれている。
【００３７】
目標光環境記憶部３６は、光センサ３２の設置位置の周囲で所望される光環境の目標値が記憶されている部分である。目標値は目標光環境記憶部３６にデフォルト値として設定されている。目標光環境記憶部３６から読み出された目標値は、リモコン側送受信部３５に送信される。
【００３８】
なお、目標光環境記憶部３６は、リモコン部３１に限らず、照明部１１に設けられていても構わない。この場合、目標光環境記憶部３６は、出力調整部１３と電気的に接続されている。
【００３９】
リモコン側送受信部３５は、測定演算部３４で演算処理が施された光センサ３２の検出信号、及び目標光環境記憶部３６から読み出された目標値に関する信号を、照明部１１の照明側送受信部１４に送信する通信処理を行う部分である。又、リモコン側送受信部３５は、照明側送受信部１４から送信されてきた信号を受信する機能も備える。
【００４０】
リモコン側送受信部３５の駆動状態は、起動状態と待機状態とのいずれか一方に、駆動制御部３３によって切り換えられる。上述の通信処理は、起動状態のリモコン側送受信部３５によって実施される。一方、待機状態のリモコン側送受信部３５は、所定の処理を行うことなく、スリープモードに置かれている。
【００４１】
なお、本実施形態では、測定演算部３４とリモコン側送受信部３５とのそれぞれが、起動状態と待機状態とのいずれか一方に、駆動制御部３３によって切り換えられるが、このような形態には限られない。少なくともリモコン側送受信部３５が、起動状態と待機状態とのいずれか一方に、駆動制御部３３によって切り換えられる形態であれば構わない。このリモコン側送受信部３５が本実施形態における通信部に相当する。
【００４２】
＜１−２．リモコン部３１の動作について＞
本実施形態における照明システム１では、光センサ３２によって検出された信号に基づいて、駆動制御部３３が、測定演算部３４及びリモコン側送受信部３５の動作状態を、起動状態と待機状態とのいずれか一方に切り換える処理を行う。
【００４３】
具体的に、リモコン側送受信部３５（通信部）は、光センサ３２の検出信号に基づいて、照明部１１の発光状態を制御するための通信を照明部１１との間で行う。この際に、光センサ３２の検出信号を反映した所定の指標値が、所定の判定条件を満たすことによって、指標値の変化が小さいと判定される期間（以下において、安定期間と称する場合がある。）では、リモコン側送受信部３５による通信動作、及び測定演算部３４による演算動作が制限される。
【００４４】
ただし、ここでいう制限とは、完全に制限する（即ち、実質的に動作を停止する）場合と、部分的に制限する（即ち、制限を行わない場合と比較して、動作頻度、又は動作レベルを低減させる）場合との双方を含むものとする。
【００４５】
このような駆動状態の切り替え処理について、具体的に説明する。図３には、経過時間に対する光センサ３２の検出信号の出力値が示されている。光センサ３２はその設置位置で常時光環境を測定しており、光環境の変化に応じて検出信号が変化する。
【００４６】
図３に示される経過時間は、検出信号の出力値が小さく、かつほぼ一定の値で推移している時間範囲Ａ１と、検出信号の出力値が上昇傾向にある時間範囲Ａ２と、検出信号の出力値が大きく、かつほぼ一定の値で推移している時間範囲Ａ３と、検出信号の出力値が下降傾向にある時間範囲Ａ４とに大別される。時間範囲Ａ１及び時間範囲Ａ３が、安定期間に相当する。また、時間範囲Ａ２及び時間範囲Ａ４が、指標値が所定の判定条件を満たさないために、指標値の変化が大きいと判定される期間（以下において、変動期間と称する場合がある。）に相当する。
【００４７】
時間範囲Ａ１では、光センサ３２による検出信号の出力値はほぼ一定に推移しているため、駆動制御部３３が光環境の変化を検出することはない。この場合、それまでの光源１２の出力が維持されればよいため、リモコン部３１が備える測定演算部３４とリモコン側送受信部３５とが起動状態にある必要はない。従って、測定演算部３４とリモコン側送受信部３５とはいずれも待機状態に置かれる。つまり、測定演算部３４及びリモコン側送受信部３５はいずれもスリープモード、即ち低消費電力状態になる。
【００４８】
駆動制御部３３は、光センサ３２の検出信号が所定の起動条件を満たすことによって光環境の変化を検出する。この起動条件の具体的内容については後に詳述する。ただし、起動条件は、リモコン側送受信部３５による通信などを制限するための判定条件（指標値の変化が小さいことを判定する条件）とは相補的なものと言える。このため、検出信号が起動条件を満たすか否かについて判定されることは、実質的には、検出信号の変化が小さいか否かについて判定されることと論理的には等価である。
【００４９】
時間範囲Ａ２では、光センサによる検出信号の出力値が上昇傾向を示している。具体的に、出力値は、例えば、外部から光が照射されるなどの外部要因によって上昇する。この場合には、駆動制御部３３は、光環境の変化を検出し、測定演算部３４とリモコン側送受信部３５とを待機状態から起動状態に移行させる。これによって、測定演算部３４は、光センサ３２から送信された検出信号の演算処理を行う。また、リモコン側送受信部３５は、目標値に関する信号と演算処理された検出信号とを照明部１１に送信する通信処理を行う。なお、図３に示される上向きの矢印が通信処理の実施タイミングの一例を表している。このように、起動状態に移行することによって、測定演算部３４及びリモコン側送受信部３５は、低消費電力状態よりも消費電力の大きい高消費電力状態になる。
【００５０】
光源１２の出力が出力調整部１３での処理によって調整される。この結果、時間範囲Ａ３では、光センサ３２による検出信号の出力値は再びほぼ一定に推移している。このため、駆動制御部３３が光環境の変化を検出することはない。この場合、それまでの光源１２の出力が維持されればよいため、リモコン部３１が備える測定演算部３４とリモコン側送受信部３５とが起動状態にある必要はない。従って、測定演算部３４とリモコン側送受信部３５とは待機状態、即ち低消費電力状態になる。
【００５１】
時間範囲Ａ４では、光センサ３２による検出信号の出力値が下降傾向を示している。具体的には、出力値は、例えば遮光されるなどの要因により、下降する。この場合には、駆動制御部３３は、光環境の変化を検出し、測定演算部３４とリモコン側送受信部３５とを待機状態から起動状態に移行させる。そして、時間範囲Ａ２で行われた処理と同様の処理が実施される。なお、測定演算部３４及びリモコン側送受信部３５はいずれも起動状態であるため、高消費電力状態にある。
【００５２】
このように、駆動制御部３３は、光センサ３２の検出信号に基づいて、測定演算部３４とリモコン側送受信部３５との駆動状態を、高消費電力状態に相当する起動状態と低消費電力状態に相当する待機状態とのいずれか一方に切り換える。
【００５３】
＜１−３．駆動制御部について＞
駆動制御部３３は、光センサ３２の検出信号のうち、特定の条件を満たす検出信号のみを取り出すことができるフィルタ回路で構成されている。このため、例えば、信号が取り出された場合には、測定演算部３４及びリモコン側送受信部３５の駆動状態を起動状態にする処理が実施可能である。また、信号が取り出されなかった場合には、測定演算部３４及びリモコン側送受信部３５の駆動状態を待機状態にする処理が実施可能である。
【００５４】
以下において、より具体的に駆動制御部３３について説明する。図４には、駆動制御部３３の一例が示されている。図４に示される駆動制御部３３（以下において、駆動制御部３３ａと称する場合がある。）は、微分回路３３１とコンパレータ（比較器）３３２とを備える。
【００５５】
この回路は、図４に示されるようにハードウエア回路だけで構成可能である。従って、この信号処理においてはソフトウエア処理を必要とせず、消費電力も小さい。
【００５６】
また、図５には、図４に示される駆動制御部３３ａでの各処理段階における出力波形が示されている。より具体的には、図５（ａ）には、微分回路３３１に入力される波形、即ち光センサ３２の出力波形が示されている。また、図５（ｂ）には、微分回路３３１の出力波形が示されている。また、図５（ｃ）には、コンパレータ３３２の出力波形が示されている。
【００５７】
光センサ３２に入射した光は電気信号に変換されるとともに、図５（ａ）に示されるような入力信号として微分回路３３１に送られる。この入力信号が、微分回路３３１において微分処理を施され、図５（ｂ）に示されるような出力信号に変換される。この構成例ではこの図５（ｂ）に示される信号の値が、光センサ３２の検出信号を反映した指標値となる。指標値の変化は、入力信号の短時間変化を反映している。このように、指標値は、検出信号の時間微分値に基づいて得られる。
【００５８】
光環境が変化した場合には、入力信号の変化の割合、即ち図５（ａ）における波形の傾きが部分的にそれまでと比較して大きくなる。このため、図５（ｂ）に示される出力信号、つまり微分処理後の入力信号の当該部分は大きく変化して表される。
【００５９】
微分回路３３１からの出力信号はコンパレータ３３２で所定の閾値と比較されて２値化される。出力信号が閾値よりも大きい場合には、コンパレータ３３２からの出力はデジタル値「１」に変換される。一方、出力信号が閾値よりも小さい場合には、コンパレータ３３２からの出力はデジタル値「０」に変換される。
【００６０】
このデジタル値が「０」になる期間が安定期間に相当する。つまり、本実施形態では、微分回路３３１からの出力信号が閾値よりも小さいことが、指標値が判定条件を満たすことに相当する。また、デジタル値が「１」になる期間が変動期間に相当する。
【００６１】
このようにして得られたコンパレータ３３２の出力波形に基づいて、コンパレータ３３２の出力のデジタル値が「１」の場合には、駆動制御部３３ａは、測定演算部３４及びリモコン側送受信部３５を起動状態にする。つまり、コンパレータ３３２の出力のデジタル値が「１」であることが本実施形態における検出信号が起動条件を満たすことに相当する。
【００６２】
また、コンパレータ３３２の出力のデジタル値が「０」の場合には、駆動制御部３３ａは、測定演算部３４及びリモコン側送受信部３５を待機状態にする。このようにして、駆動制御部３３ａは、光センサ３２の検出信号に基づいて、測定演算部３４とリモコン側送受信部３５との駆動状態を切り換える。
【００６３】
なお、コンパレータ３３２の出力のデジタル値が「１」の場合であって、出力時間が短い場合がある。具体的には、カメラのフラッシュなどの瞬間的な光量変動が生じた場合などがこれに該当する。この場合には、光環境の変化は一時的であるため、リモコン側送受信部３５は待機状態であって構わない。このため、コンパレータ３３２の出力のデジタル値が「１」を示す時間、即ち、変動期間が、所定の設定値よりも小さい場合には、一旦起動状態に移行した測定演算部３４及びリモコン側送受信部３５を、再度待機状態にする設定も可能である。駆動制御部３３ａとソフトウエア処理とを組み合わせることで、このような処理が実現可能である。
【００６４】
また、上述の場合であって、起動状態に移行しないようにするには、たとえば図４のコンパレータ３３２の前段にローパスフィルタを挿入して、ごく短時間だけ時間変化する信号をブロックすればよい。この場合のローパスフィルタのカットオフ周波数は、カメラのフラッシュの発光時間など、除外したい変化時間よりも少し大きな程度とすることが好ましい。また、微分回路を、望ましい周波数帯域のみを微分するフィルタ回路に変更してもよい。また、駆動制御部３３ａとソフトウエア処理とを組み合わせることで、このような処理を実現することも可能である。
【００６５】
なお、駆動制御部３３は、微分回路３３１とコンパレータ３３２とで構成された形態に限られない。図６には、駆動制御部３３の他の例として、積分回路３３５とコンパレータ３３２とを備える駆動制御部３３（以下において駆動制御部３３ｂと称する場合がある。）が示されている。図６に示されるように、駆動制御部３３ｂは、ハードウエア回路だけで構成可能である。図４の場合と同様に、図６の回路を用いた信号処理は、ソフトウエア処理を必要とせず、消費電力は低くなる。
【００６６】
また、図７には、図６に示される駆動制御部３３ｂでの各処理段階における出力波形が示されている。より具体的には、図７（ａ）には、積分回路３３５に入力される波形、即ち光センサ３２の出力波形が示されている。また、図７（ｂ）には、積分回路３３５の出力波形が示されている。図７（ｃ）には、コンパレータ３３２の出力波形が示されている。
【００６７】
光センサ３２に入射した光は、電気信号に変換され、図７（ａ）に示されるような入力信号として積分回路３３５に送られる。このような入力信号が、積分回路３３５において積分処理を施され、図７（ｂ）に示されるような出力信号に変換される。
【００６８】
光環境が変化した場合には、入力信号は大きく変化した状態で安定する。このため、入力信号の積算量は大きくなるため、出力信号、つまり積分処理後の入力信号は大きく変化する。なお、瞬間的な光量変動があった場合にも、出力信号は大きく変化するが、光環境が変化した場合と比較すると、その積算量は小さくなる。従って、適切に閾値を設定することによって、瞬間的な光量変動が駆動制御部３３ｂで検出されることを抑えられる。
【００６９】
この構成例ではこの図７（ｂ）に示される信号の値が、光センサ３２の検出信号を反映した指標値となる。指標値の変化は、入力信号の長時間変化を反映している。このように、指標値は、検出信号の時間積分値に基づいて得られる。
【００７０】
積分回路３３５からの出力信号は、コンパレータ３３２で閾値と比較される。ここで、出力信号が閾値よりも大きい場合には、コンパレータ３３２からの出力はデジタル値「１」に変換される。一方、出力信号が閾値よりも小さい場合には、コンパレータ３３２からの出力はデジタル値「０」に変換される（図６（ｃ）参照）。
【００７１】
出力信号のデジタル値が「１」の場合に、駆動制御部３３ｂは、測定演算部３４及びリモコン側送受信部３５を起動状態に移行させる。一方、出力信号のデジタル値が「０」の場合に、駆動制御部３３ｂは、測定演算部３４及びリモコン側送受信部３５を待機状態に移行させる。このように、駆動制御部３３ｂは、測定演算部３４及びリモコン側送受信部３５の動作状態を切り換える。
【００７２】
なお、駆動制御部３３ａとソフトウエア処理とを組み合わせることで、光センサ３２の出力信号が大きく変化しないのに、起動状態が繰り返し続く場合には、一旦起動状態にするが、通信処理をすることなしに即座に待機状態に移行し、消費電力を少なくすることもできる。
【００７３】
＜１−４．処理の流れ＞
図８には、本実施形態における処理の流れを表すフローチャートが示されている。このフローチャートに基づいて処理の流れを説明する。なお、初期状態において、測定演算部３４及びリモコン側送受信部３５は待機状態に設定されている。
【００７４】
はじめに、照明部１１が備える光源１２の駆動が開始され（ステップＳ１１）、光源１２が発光する。この光源１２の発光によって得られる光環境が、リモコン部３１に設置された光センサ３２によって検出される（ステップＳ１２）。
【００７５】
光センサ３２の検出信号は入力信号として駆動制御部３３に送られる。駆動制御部３３は、入力信号、即ち光センサ３２からの出力値が、測定演算部３４及びリモコン側送受信部３５の起動条件を満たすか否か判定する（ステップＳ１３）。換言すれば、光センサ３２の検出信号を反映した指標値が所定の判定条件を満たすかどうかについて判断される。
【００７６】
ここで、入力信号が起動条件を満たさない場合、換言すれば指標値が判定条件を満たす場合には、光環境の変化が小さいため、引き続き、測定演算部３４は待機状態に置かれる（ステップＳ１４）。また、リモコン側送受信部３５についても、待機状態に置かれる（ステップＳ１５）。つまり、測定演算部３４及びリモコン側送受信部３５は低消費電力状態に置かれる。
【００７７】
一方、入力信号が起動条件を満たす場合、換言すれば指標値が判定条件を満たさない場合には、光環境の変化が大きいため、測定演算部３４の駆動状態は、待機状態から起動状態に移行する（ステップＳ１６）。また、測定演算部３４に続いて、リモコン側送受信部３５の駆動状態も、待機状態から起動状態に移行する（ステップＳ１７）。
【００７８】
光センサ３２から測定演算部３４に送信された検出信号は、測定演算部３４において、Ａ／Ｄ変換処理などの所定の演算処理を施される（ステップＳ１８）。演算処理後の信号は、リモコン側送受信部３５に送信される。
【００７９】
目標光環境記憶部３６で記憶されていた光環境の目標値がリモコン側送受信部３５によって読み出される。この目標値の信号と測定演算部３４から送信されてきた信号とが照明部１１に設置された照明側送受信部１４に送信される。つまり、リモコン側送受信部３５による通信処理が行われる（ステップＳ１９）。
【００８０】
照明側送受信部１４は、受信した信号を出力調整部１３に送信する。出力調整部１３において、目標値と測定値との比較が行われる（ステップＳ２０）。そして、目標値と測定値との差がゼロであるか否かが判定される（ステップＳ２１）。
【００８１】
測定値と目標値とが一致しない場合には、これらの値の差がゼロになるように、光源１２の出力を調整する信号が出力調整部１３から送信される。そして、一連の処理が繰り返され、光源１２の出力はフィードバック制御される。このような一連の処理は目標値と測定値とが一致した段階、又はその差が所定の範囲内に収まった段階で終了する。
【００８２】
以上のように、本実施形態に係る照明システム１では、リモコン部３１は、光センサ３２の検出信号に応じて、リモコン側送受信部３５の駆動状態を起動状態と待機状態とのいずれか一方に切り換える。つまり、リモコン側送受信部３５は、高消費電力状態と高消費電力状態よりも消費電力の小さい低消費電力状態とのいずれか一方に切り換えられる。このため、リモコン部３１の消費電力は、リモコン側送受信部３５が常時起動状態に設定されていた従来の場合よりも抑えられる。
【００８３】
また、測定演算部３４についても、リモコン側送受信部３５と同様に、その駆動状態が起動状態と待機状態とのいずれか一方に切り換えられる。これによって、リモコン部３１の消費電力はより抑えられる。
【００８４】
また、駆動制御部３３は微分回路３３１とコンパレータ３３２とを備える。このため、簡易な構成で、光センサ３２の検出信号から特定の条件を満たす信号を取り出すことが可能であり、信号を反映した指標値に応じて、リモコン側送受信部３５を高消費電力状態と低電力消費状態とのいずれか一方に切り換えることができる。特に、指標値は、光センサの検出信号の時間微分値に基づいて得られるため、比較的短時間での光環境変化に高精度に対応しつつ省電力化を達成できる。
【００８５】
また、この場合に、微分処理が施された検出信号の出力時間が設定値より小さければ、高消費電力状態のリモコン側送受信部３５を低消費電力状態に移行させることができる。このため、瞬間的な出力信号の変化が生じたことによって、一旦起動状態に移行したリモコン側送受信部３５を再び待機状態に移行させることができる。
【００８６】
また、駆動制御部３３が積分回路３３５とコンパレータ３３２とを備えることによって、光センサ３２からの出力信号の変化量が一定よりも大きくなる場合、少なくともリモコン側送受信部３５を起動状態にすることができる。この場合、指標値は、光センサの検出信号の時間積分値に基づいて得られるため、比較的ゆっくりと変化する光環境変化に高精度に対応しつつ省電力化を達成できる。また、例えばカメラのフラッシュなどの瞬間的な出力信号の変化が生じた場合には、リモコン側送受信部３５が待機状態から起動状態に移行することを簡易な構成で防ぐことができる。
【００８７】
＜２．第２実施形態＞
第１の実施形態では、光センサ３２は、光の照度及び相関色温度を測定する形態であったが、このような形態には限られない。例えば、光センサ３２が、照度を検出するフォトセンサ３８と相関色温度を検出するカラーセンサ３９との２つの部材で構成されていても構わない。
【００８８】
図９には、第２の実施形態に係る照明システム１ｂが開示されている。この照明システム１ｂでは、リモコン部３１ｂの駆動制御部３３はフォトセンサ３８からの信号に基づいて、測定演算部３４及びリモコン側送受信部３５の駆動状態を切り換える。この場合、測定演算部３４及びリモコン側送受信部３５の駆動状態が待機状態から起動状態に移行すると、測定演算部３４は、カラーセンサ３９の検出信号の演算処理を行い、リモコン側送受信部３５に送信する。つまり、リモコン側送受信部３５、及び測定演算部３４の駆動状態の切り替えはフォトセンサ３８の検出信号に基づいて判断され、演算処理及び通信処理にはカラーセンサ３９の検出信号が使用される。
【００８９】
このような構成が採用されることにより、フォトセンサ３８の検出信号の安定期間では、リモコン側送受信部３５での通信動作とともに、カラーセンサ３９の検出結果に基づく演算もまた制限されるため、カラーセンサ３９の出力に基づく演算とリモコン側送受信部３５による通信動作とのいずれの消費電力も低減され、省電力化を達成できる。また、駆動制御部３３に接続されるセンサの配線構造が簡易化されるため、電気回路の低コスト化が可能である。なお、リモコン側送受信部３５での通信動作のみが制限される形態であっても構わない。
【００９０】
＜３．変形例＞
上記実施形態では、目標光環境記憶部３６に記憶されていた光環境の目標値はデフォルト値が読み出されていたが、このような形態には限られない。
【００９１】
図１０には、変形例における照明システム１ｃのブロック図が示されている。図１０に示されるように、照明システム１ｃのリモコン部３１ｃは、目標光環境記憶部３６に電気的に接続された目標光環境取得部３７をさらに備える。
【００９２】
この目標光環境取得部３７は、例えば、複数の入力ボタンによって構成された入力デバイス、及びカラーＬＣＤのようなディスプレイで構成されている。つまり、ディスプレイを見ながら、ユーザ操作によって入力デバイスから目標値の入力が行われる。目標光環境取得部３７が光環境の目標値を更新可能にするため、例えば、時間、天候、又は気温などに応じて、目標値を設定することができる。例えば、目標値が、複数の選択値からの択一的選択あるいは操作入力された値とする場合、読書などの際には比較的高い目標値が設定され、テレビ鑑賞の際には比較的低い目標値が設定されるなど、目標値を可変とすることによって多様な照明調整が可能である。
【００９３】
上記の実施形態では安定期間での通信は一律に停止させているが、例えば、安定期間での通信の頻度を変動期間よりも長くすることによって省電力を図ることもできる。これは、この発明での「安定期間での動作制限」を部分的に行う例である。
【００９４】
上記の実施形態におけるリモコン部３１のリモコン側送受信部３５は、照明部１１との間でワイヤレス信号を用いて送受信の双方が可能であり、安定期間では送受信の双方を制限している。そして、この発明における「通信動作を制限」とは、「送信および／または受信を制限」の意味であるが、送信と受信とのうちの送信のみを制限してもよい。これは受信と比較して送信の方が大きな電力を消費するためである。照明部１１への送信機能のみを持つリモコンの場合には、送信だけが制限対象となる。
【符号の説明】
【００９５】
１，１ｂ，１ｃ  照明システム
１１  照明部
１２  光源
３１，３１ｂ，３１ｃ  リモコン部
３２  光センサ
３３  駆動制御部
３４  測定演算部
３５  リモコン側送受信部
３８  フォトセンサ
３９  カラーセンサ
３３１  微分回路
３３２  比較器
３３５  積分回路
【図１】
2013120721.tif 000003
【図２】
2013120721.tif 000004
【図３】
2013120721.tif 000005
【図４】
2013120721.tif 000006
【図５】
2013120721.tif 000007
【図６】
2013120721.tif 000008
【図７】
2013120721.tif 000009
【図８】
2013120721.tif 000010
【図９】
2013120721.tif 000011
【図１０】
2013120721.tif 000012